(57)【要約】【課題】携帯電話機自体に電波時計を内蔵して、携帯電話機だけで時刻の校正を随時行えるようにするとともに、ＲＴＣ回路バックアップ用二次電池の搭載を不要とする。【解決手段】時刻電波を受信する電波時計受信部１１と、その受信信号に基づいてＲＴＣ回路６のための校正用時刻情報を生成する電波時計情報処理部１０とを内蔵する。電波時計情報処理部１０は、ＲＴＣ回路からの要求により校正用時刻情報をＲＴＣ回路６へ送る。ＲＴＣ回路６は、電波時計情報処理部１０に対して校正用時刻情報を一定回数以上又は一定時間以上要求しても校正用時刻情報が得られなかった場合は、校正を行わずに自己の時刻情報の生成を継続する。電波時計受信部１１は、受信する時刻電波の周波数を変更可能とする周波数テーブルを有する。【選択図】　図１
2004015713.tif 000002
【特許請求の範囲】
【請求項１】
発振器により時刻情報を生成するＲＴＣ回路を内蔵した携帯電話機において、時刻電波を受信する電波時計受信部と、その受信信号に基づいて前記ＲＴＣ回路のための校正用時刻情報を生成する電波時計情報処理部とを内蔵したことを特徴とする、電波時計を内蔵する携帯電話機。
【請求項２】
電波時計情報処理部は、ＲＴＣ回路からの要求により校正用時刻情報をＲＴＣ回路へ送ることを特徴とする、請求項１記載の電波時計を内蔵する携帯電話機。
【請求項３】
電波時計情報処理部及び電波時計受信部は、ＲＴＣ回路からの要求がないときはスリープ状態となることを特徴とする、請求項２記載の電波時計を内蔵する携帯電話機。
【請求項４】
電波時計情報処理部及び電波時計受信部は、電源オン時にはスリープ状態を解除されることを特徴とする、請求項３記載の電波時計を内蔵する携帯電話機。
【請求項５】
ＲＴＣ回路は、電波時計情報処理部に対して校正用時刻情報を一定回数以上又は一定時間以上要求しても校正用時刻情報が得られなかった場合は、校正を行わずに自己の時刻情報の生成を継続することを特徴とする、請求項１、２又は３記載の電波時計を内蔵する携帯電話機。
【請求項６】
電波時計受信部は、受信する時刻電波の周波数を変更可能とする周波数テーブルを有することを特徴とする、請求項１、２、３、４又は５記載の電波時計を内蔵する携帯電話機。
【発明の詳細な説明】
【０００１】
【発明の属する技術分野】
本発明は、電波時計を内蔵することにより、精度の高い時間情報を取得できる携帯電話機に関する。
【０００２】
【従来の技術】
近年、携帯電話機は、携帯情報ツールとして活用できるまでの多彩な機能を搭載している。特に、スケジューラ機能の充実は携帯情報端末機としては重要な機能であり、時計と連動したアラーム通知や、スケジュール管理機能に複合して用いられる時計機能においては、携帯電話機が正確な時刻を有していることが前提条件となっている。
【０００３】
図５に、従来の一般的な携帯電話機の構成図を示し、メイン無線部１とメイン通信制御部２と中央制御部３と周辺装置制御部４と電源制御部５とＲＴＣ（ＲｅａｌＴｉｍｅ　Ｃｌｏｃｋ）回路６とレシーバ７とマイク８と共通バス９と二次電池１０とで構成されている。
【０００４】
このような携帯電話機では、携帯電話機内の時刻情報は内蔵するＲＴＣ回路６によってカウントされ、更新されるが、内蔵する水晶発振器によって生成されるクロックに従って動作するＲＴＣ回路６では、動作時間の経過と共に時刻のずれが生じ、常に正確な時刻情報を得ることはできない。
【０００５】
また、携帯電話機の主電池が電池切れを起こした場合や、主電池を取り外した場合であっても、携帯電話機内の時計機能は動作しつづける必要がある。これによって、次に装置電源ＯＮした場合であっても、正しい時刻情報を得ることができる。この主電池取り外し時のＲＴＣ回路６の動作電源は、二次電池１０によって行うようになっているので、二次電池の内蔵が必要となる。
【０００６】
一方、携帯電話機の時刻を電波時計を利用して外部から校正する技術として、次の公報に記載されたものが従来知られている。
▲１▼　特開２００２−９４６７３号
日本標準時の時刻電波信号を交換機で受信して、デジタルの時刻データとして通信回線を介して各基地局へ送信し、各基地局から携帯端末へ標準時刻の時刻データを常に送信し、これを受信した携帯端末で標準時刻を表示する。
【０００７】
▲２▼　特開平９−２４７２５５号
携帯電話機用の充電器に電波時計を内蔵し、携帯電話機を充電器にセットして充電中に、充電器側の赤外線送信部から電波時計の時刻データを送信し、これを携帯電話機側の赤外線受信部で受信して携帯電話機の内蔵時計部を校正する。
【０００８】
▲３▼　実用新案登録第３０６３１１６号
充電器に電波時計を内蔵し、携帯電話機を充電器にセットして充電中に、電波時計の時刻データを、充電器側の信号用端子及び携帯電話機側の信号端子を介して携帯電話機へ送って、携帯電話機の内蔵時計部を校正する。
【０００９】
【発明が解決しようとする課題】
しかし、▲１▼では、標準時刻の時刻データを各基地局から携帯端末へ常に送信しておかなければならない。
▲２▼及び▲３▼では、携帯電話機を充電器にセットしないと校正できない。
【００１０】
本発明は、従来の上記のような問題点に鑑み、携帯電話機自体に電波時計を内蔵して、携帯電話機だけで時刻の校正を随時行えるようにするとともに、ＲＴＣ回路バックアップ用二次電池の搭載を不要とするものである。
【００１１】
【課題を解決するための手段】
すなわち、本発明は、発振器により時刻情報を生成するＲＴＣ回路を内蔵した携帯電話機において、時刻電波を受信する電波時計受信部と、その受信信号に基づいてＲＴＣ回路のための校正用時刻情報を生成する電波時計情報処理部とを内蔵したことを特徴とする。
【００１２】
本発明は、次のような形態が好ましい。
電波時計情報処理部は、ＲＴＣ回路からの要求により校正用時刻情報をＲＴＣ回路へ送る。
【００１３】
電波時計情報処理部及び電波時計受信部は、ＲＴＣ回路からの要求がないときはスリープ状態となる。
【００１４】
電波時計情報処理部及び電波時計受信部は、電源オン時にはスリープ状態を解除される。
【００１５】
ＲＴＣ回路は、電波時計情報処理部に対して校正用時刻情報を一定回数以上又は一定時間以上要求しても校正用時刻情報が得られなかった場合は、校正を行わずに自己の時刻情報の生成を継続する。
【００１６】
電波時計受信部は、受信する時刻電波の周波数を変更可能とする周波数テーブルを有する。
【００１７】
【発明の実施の形態】
次に、本発明の実施の形態を図面に基づいて詳細に説明する。
【００１８】
本発明の一例である携帯電話機の装置構成を図１に示す。この携帯電話機は、メイン無線部１とメイン通信制御部２と中央制御部３と周辺装置制御部４と電源制御部５とＲＴＣ（Ｒｅａｌ　Ｔｉｍｅ　Ｃｌｏｃｋ）回路６とレシーバ７とマイク８と共通バス９の他に、電波時計部１２として電波時計受信部１１及び電波時計情報処理部１０を備えているが、ＲＴＣ回路６をバックアップする二次電池は搭載していない。
【００１９】
メイン無線部１は、携帯電話ネットワークに接続して基地局との送受信を行う。メイン通信制御部２は、無線信号のデジタル処理を行う。中央制御部３は、アプリケーションの動作やデータの処理、さまざまな周辺装置の制御を行う。周辺装置制御部４は、レシーバ７やマイク８などの制御処理を行う。電源制御部５は装置電源の制御を行う。
【００２０】
ＲＴＣ回路６は、水晶発振器の発振クロックにより時刻情報を生成し、当該携帯電話機の時計機能やカレンダ機能、アラーム機能などを実現する。携帯電話機の操作によって一度時刻設定を行うと、ＲＴＣ回路６は、常にその時刻情報をカウントする必要があるため、通常は電池が取り外された場合でも、内蔵二次電池によって電力供給し、動作を継続する必要がある。しかし、本発明においては電池を取り外した場合でも、次回電池装着時／装置電源ＯＮ中に、次のような電波時計部１２より時刻情報を取得する仕組みとしているため、ＲＴＣ回路６のための二次電池の搭載は不要となっている。
【００２１】
電波時計部１２の電波時計受信部１１は、アンテナとデコード部を含む。時刻電波は、４０ＫＨｚ程度の長波によって送信されているが、地域によって異なる周波数で送信される場合があるので、電波時計受信部１１は、異なる周波数の時刻情報を受信可能とするための周波数テーブルを保持している。
【００２２】
電波時計部１２の電波時計情報処理部１０は、電波時計受信部１１の受信信号を解析して時刻情報を生成する。この電波時計情報処理部１０のインタフェースは共通バス９として実現されており、電池装着時／装置電源ＯＮ中に電波時計機能により取得した時刻情報は、この共通バスを介してＲＴＣ回路６に通知され、後述のように当該携帯電話機の時刻が設定される。
【００２３】
次に、本発明の動作を電池装着時と装置電源ＯＮ中に分けて説明する。
＜電池装着時＞
図２のフローチャートにおいて、電池（一次電池）が装着されると（ステップＳ２）、中央制御部３への電源供給を開始して、装置の初期設定を行う（ステップＳ２）とともに、電波時計部１２の電源をＯＮとして（ステップＳ３）、時刻電波の受信を開始する（ステップＳ４）。ここで受信できなかった場合は、受信周波数をテーブルに記述された次のランクの周波数に変更して時刻電波を取得する（ステップＳ５）。
【００２４】
電波時計部１２は、電波時計受信部１１にて一定周期（例えば１秒間隔）で時刻電波を受信し（ステップＳ６）、電波時計情報処理部１０から共通バス９を経由してＲＴＣ回路６に対して時刻情報を通知し（ステップＳ７）、その動作をＲＴＣ回路６から応答があるまで繰り返す（ステップＳ８）。これにより、ＲＴＣ回路６にて時刻が初期設定される。ＲＴＣ回路６は、設定された時刻情報を元にして、アラーム等の時刻監視を開始する。
【００２５】
電波時計部１２は、ＲＴＣ回路６から応答を受信すると、時刻電波の受信を停止し、スリープ状態となる（ステップＳ９）。この後、携帯電話機をスタンバイ状態として（ステップ１０）、処理を終了する。
【００２６】
＜装置電源ＯＮ中＞
図３のフローチャートにおいて、電波時計部１２は、ある一定周期にスリープ解除されて（ステップＳ１１）、電源ＯＮとなり（ステップＳ１２）、電波時計受信部１１で時刻電波の受信を開始する（ステップＳ１３）。ここで受信できなかった場合は、受信周波数をテーブルに記述された次のランクの周波数に変更して時刻電波を取得する（ステップＳ１４）。
【００２７】
電波時計部１２は、電波時計受信部１１にて一定周期（例えば１秒間隔）で時刻電波を受信しながら（ステップＳ１５）、電波時計情報処理部１０でＲＴＣ回路６からの時刻情報要求の有無を確認し（ステップＳ１６）、要求があれば、共通バス９を経由してＲＴＣ回路６に対して時刻情報を通知する（ステップＳ１７）。通知後、電波時計部１２はスリープ状態となり（ステップＳ１８）、処理を終了する。また、電波時計部１２は、スリープ解除後、ＲＴＣ回路６からの時刻情報要求が一定回数以上又は一定時間以上無いかどうか確認し（ステップＳ１９、無ければＲＴＣ回路６へ時刻情報を通知することなく、スリープ状態となる。
【００２８】
ＲＴＣ回路６側では、電波時計部１２に対して時刻情報要求を送信し（ステップＳ２１）、電波時計部１２から時刻情報を受信できたか否か確認して（ステップＳ２２、受信できたら自己の時刻を電波時計部１２からの時刻情報に従って校正し（ステップＳ２３）、処理を終了する。受信できない場合は、時刻情報要求を再送し、一定回数以上送信しても又は一定時間経過しても受信できないときは（ステップＳ２４でＹＥＳ）、校正せずに時刻のカウントを継続する。
【００２９】
図４は本発明の変形例を示し、ＲＴＣ回路６を電波時計情報処理部１０に統合して、自律校正型のＲＴＣ回路としたものである。
【００３０】
なお、一般的な携帯電話機に内蔵されている二次電池は、揮発性メモリに格納されるデータの保持のためにも用いられているが、本発明を実際に適用する場合には、データ保持は不揮発性メモリに格納し、ＲＴＣ回路の動作保持は上記のように電波時計に置き換える。これにより、最終的には二次電池搭載の必要がなくなることが期待できる。
【００３１】
【発明の効果】
本発明によれば、電波時計を内蔵し、電池装着時に時刻情報を取得して携帯電話機の時計機能に反映させるので、内蔵するＲＴＣ回路用の二次電池を搭載する必要が無くなる。
また、装置電源ＯＮ中に、内蔵した電波時計から周期的に正確な時刻情報を取得して携帯電話機の時計機能に反映させるので、携帯電話機だけで時刻の校正を随時行える。
【００３２】
ＲＴＣ回路からの時刻情報要求が無いときは、電波時計をスリープ状態とすることにより、電池消耗を節減できる。
【００３３】
ＲＴＣ回路から時刻情報要求を一定回数以上又は一定時間以上行っても、電波時計部から時刻情報が得られなかったときは、ＲＴＣ回路での時刻情報生成を継続することにより、時刻電波不受信時でも時計機能やカレンダ機能、アラーム機能などは継続できる。
【００３４】
時刻電波の周波数を変更可能とする周波数テーブルを保持することにより、時刻電波の周波数が異なる地域でも適用できる。
【図面の簡単な説明】
【図１】本発明の一実施例の構成を示すブロック図である。
【図２】その電池装着時の動作を示すフローチャートである。
【図３】装置電源ＯＮ中の動作を示すフローチャートである。
【図４】本発明の変形例の構成を示すブロック図である。
【図５】従来の一般的な携帯電話機の構成を示すブロック図である。
【符号の説明】
１　メイン無線部
２　メイン通信制御部
３　中央制御部
４　周辺装置制御部
５　電源制御部
６　ＲＴＣ回路
７　レシーバ
８　マイク
９　共通バス
１０　電波時計情報処理部
１１　電波時計受信部
１２　電波時計部
【図１】
2004015713.tif 000003
【図２】
2004015713.tif 000004
【図３】
2004015713.tif 000005
【図４】
2004015713.tif 000006
【図５】
2004015713.tif 000007